(57)【要約】【課題】放電セル間のクロストークの発生を抑制し、且つ安定な表示を実現できるプラズマディスプレイパネルを提供する。【解決手段】２つの基板（前面基板３、背面基板１０）が放電空間を介して対向して設けられ、その一方の基板（前面基板３）上に、バス電極１８ｂ、１９ｂおよび放電電極１８ａ、１９ａからなる表示電極２０と、その表示電極２０を覆う第一誘電体層２１とが形成され、他方の基板（背面基板１０）上に隔壁１３が形成されたプラズマディスプレイパネルにおいて、第一誘電体層２１には隔壁１３の上部が入り込む凹み２３が形成されており、凹み２３が形成された領域と重ならないように放電電極１８ａ、１９ａが形成されている。【選択図】図１
2007073275.tif 000002
【特許請求の範囲】
【請求項１】
２つの基板が放電空間を介して対向して設けられ、その一方の基板上に、バス電極および放電電極からなる表示電極と、その表示電極を覆う誘電体層とが形成され、他方の基板上に隔壁が形成されたプラズマディスプレイパネルにおいて、前記誘電体層には前記隔壁の上部が入り込む凹みが形成されており、前記凹みが形成された領域と重ならないように前記放電電極が形成されたことを特徴とするプラズマディスプレイパネル。
【請求項２】
隔壁は、表示電極に垂直な縦隔壁と、この縦隔壁間に設けられ且つ縦隔壁よりも高さが低い横隔壁とからなり、前記縦隔壁の上部が誘電体層の凹みに入り込むように構成された請求項１に記載のプラズマディスプレイパネル。
【請求項３】
隔壁は格子状であり、誘電体層に形成された凹みは前記隔壁の上部が入り込む格子状の凹みであり、この格子状の凹みのうち、表示電極に平行な部分に前記凹みの深さよりも深い凹みを形成したことを特徴とする請求項１に記載のプラズマディスプレイパネル。
【請求項４】
誘電体層に形成された凹みの端部分が傾斜状であることを特徴とする請求項１〜３のいずれかに記載のプラズマディスプレイパネル。
【請求項５】
誘電体層に形成された凹みと対向する隔壁の頂部がテーパー状であることを特徴とする請求項１〜３のいずれかに記載のプラズマディスプレイパネル。
【請求項６】
誘電体層に形成された凹みとバス電極とが交差する部分において、前記凹みの幅を狭くしたことを特徴とする請求項１〜３のいずれかに記載のプラズマディスプレイパネル。
【発明の詳細な説明】
【技術分野】
【０００１】
本発明はプラズマディスプレイパネル（ＰＤＰ）に関する。
【背景技術】
【０００２】
ＰＤＰでは、ガス放電により紫外線を発生させ、この紫外線で蛍光体を励起して発光させることにより画像表示を行っている。
【０００３】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００４】
ＰＤＰには、大別して、駆動的にはＡＣ型とＤＣ型とがあり、放電形式では面放電型と対向放電型とがあるが、高精細化、大画面化および構造の簡素性から、現状では、３電極構造の面放電型のＡＣ型ＰＤＰが主流である。図９を用いてその構造を説明する。
【０００５】
ＰＤＰ１の前面板２は、例えばガラスのような透明な前面基板３上に、走査電極４と維持電極５とからなる表示電極６と、それを覆う第一誘電体層７と、さらにそれを覆う酸化マグネシウム（ＭｇＯ）からなる保護層８とを備える。ここで、走査電極４および維持電極５は、透光性確保と電気抵抗低減との観点で、例えば、透明電極４ａ、５ａ上に金属材料によるバス電極４ｂ、５ｂを積層した構造としている。また、第一誘電体層７は、低融点ガラス材料の粉末を含有するペースト状の誘電体材料を、スクリーン印刷やダイコート法で塗布して乾燥させた後、またはシート状にした誘電体層を転写して貼付した後、焼成するという方法で形成される。
【０００６】
背面板９は、例えばガラスのような絶縁性の背面基板１０上に、データ電極１１と、それを覆う第二誘電体層１２と、データ電極１１と平行な隔壁１３と、第二誘電体層１２の表面と隔壁１３の側面に設けられた蛍光体層１４Ｒ、１４Ｇ、１４Ｂとを備える。ここで、第二誘電体層１２は、第一誘電体層７と同様、低融点ガラス材料の粉末を含有するペースト状の誘電体材料を、スクリーン印刷やダイコート法で塗布して乾燥させた後、またはシート状にした誘電体層を転写して貼付した後、焼成するという方法により形成される。
【０００７】
そして、前面板２と背面板９とは、表示電極６とデータ電極１１とが直交するように放電空間１５を介して対向配置され、周縁部に形成されたシール材により封着されている。そして放電空間１５には、放電ガスとして、例えば希ガスであるネオンおよびキセノンが封入されており、隔壁１３によって仕切られ、表示電極６とデータ電極１１との交差部の放電空間１５が放電セルとして動作する。
【０００８】
以上の構成において、放電が発生している放電セル（点灯セル）と放電が発生していない放電セル（非点灯セル）が隣り合った場合、放電が点灯セルと非点灯セル間をクロストークする場合がある。この場合、安定な放電が維持できないためにチラツキや不灯などが発生する。このようなクロストークを抑制する構成として、例えば特許文献１には、隔壁１３と対向する第一誘電体層７に溝を設け、その溝に隔壁１３の頂上部を嵌合させた構成のＰＤＰが記載されている。
【特許文献１】特開平９−５０７６７号公報
【発明の開示】
【発明が解決しようとする課題】
【０００９】
しかし、隔壁１３と対向する第一誘電体層７に溝を設け、その溝に隔壁１３の頂上部を嵌合させる場合、製造上の余裕を確保するために、隔壁１３の頂上部の幅に比べて第一誘電体層７に設ける溝の幅をある程度大きく設定する必要がある。この場合には、その溝の部分で第一誘電体層７が薄い領域が発生するために、その領域で放電開始電圧が低下し、これによって放電が不安定になるという課題があった。
【００１０】
また、特許文献１には第一誘電体層７の設けた溝の中に接着層を設け、第一誘電体層７側と隔壁１３の頂上部とを接着し、溝内を密閉した状態にすることが記載されているが、この場合には次のような問題が発生する。すなわち、接着層となる接着材料が所定量より少ない場合、隔壁１３が接合される溝との間に発生する隙間を埋めることが不十分となり、そのためその箇所の放電開始電圧が下がることによって放電が不安定になる。また、接着材料が所定量より多い場合、溝よりはみ出される接着材料によって表示方向への開口率が減少し、著しく発光効率を下げる原因となる。そして、接着材料を適切な量で配置するのは困難であり、製造方法の複雑化を招くことになる。
【００１１】
本発明はこのような課題を解決するために成されたもので、放電セル間のクロストークの発生を抑制し、且つ安定な表示を実現できるプラズマディスプレイパネルを提供することを目的とする。
【課題を解決するための手段】
【００１２】
上記目的を達成するために、本発明のプラズマディスプレイパネルは、２つの基板が放電空間を介して対向して設けられ、その一方の基板上に、バス電極および放電電極からなる表示電極と、その表示電極を覆う誘電体層とが形成され、他方の基板上に隔壁が形成されたプラズマディスプレイパネルにおいて、前記誘電体層には前記隔壁の上部が入り込む凹みが形成されており、前記凹みが形成された領域と重ならないように前記放電電極が形成されたことを特徴とする。
【発明の効果】
【００１３】
本発明によれば、放電セル間におけるクロストークの発生が抑制され、安定した放電によって高品質の画像表示を行えるプラズマディスプレイパネルを実現することができる。
【発明を実施するための最良の形態】
【００１４】
図１は、本発明の実施の形態１によるＰＤＰの画像表示部の概略構成を示す斜視図であり、図２は表示電極と隔壁の配置を示す平面図である。
【００１５】
実施の形態１によるＰＤＰ１６の背面板９は、図９で示したものとほぼ同じ構成である。背面板９は、例えばガラスのような絶縁性の背面基板１０上に、データ電極１１と、それを覆う第二誘電体層１２と、データ電極１１と平行なストライプ状の隔壁１３と、第二誘電体層１２の表面と隔壁１３の側面に設けられた蛍光体層１４Ｒ、１４Ｇ、１４Ｂとを備えた構成である。ここで、隔壁１３の頂部はテーパー状に形成されている。
【００１６】
背面板９に対向して配置された前面板１７は、例えばガラスのような、透明且つ絶縁性の前面基板３上に、走査電極１８と維持電極１９とからなる表示電極２０と、この表示電極２０を覆う第一誘電体層２１と、さらにこの第一誘電体層２１を覆うＭｇＯからなる保護層２２とを有する。走査電極１８および維持電極１９はデータ電極１１に直交する方向に配置されている。第一誘電体層２１には、隔壁１３と対向する領域に凹み２３が形成されており、この凹み２３に隔壁１３の上部がはまり込むように構成されている。また、走査電極１８は放電電極１８ａとバス電極１８ｂとから構成され、維持電極１９は放電電極１９ａとバス電極１９ｂとから構成されている。バス電極１８ｂ、１９ｂは金属を含む材料によってストライプ状に形成されている。放電電極１８ａ、１９ａは例えば矩形状であって隔壁１３間の領域に個々に分かれて形成されており、放電電極１８ａ、１９ａは凹み２３が形成された領域と重なることがないようなパターンに形成されている。放電電極１８ａ、１９ａが図２に示すような矩形状の場合、放電電極１８ａ、１９ａは透明電極であり、ＩＴＯ（インジウムスズ酸化物）またはＳｎＯ2（酸化スズ）により形成される。
【００１７】
そして、前面板１７と背面板９とは、表示電極２０とデータ電極１１とが直交するように放電空間１５を介して対向配置され、周縁部に形成されたシール材により封着されている。そして放電空間１５には、放電ガスとして、例えば希ガスであるネオンとキセノンが封入されており、表示電極２０とデータ電極１１との交差部の放電空間１５が、単位発光領域となる放電セルとして動作する。
【００１８】
ここで、第一誘電体層２１は、低融点ガラス材料の粉末を含有するペースト状の誘電体材料を、スクリーン印刷やダイコート法で塗布して乾燥させた後、またはシート状にした誘電体層を転写して貼付した後、サンドブラスト等によって凹み２３を形成し、その後、焼成するという方法により形成することができる。また、第二誘電体層１２は、低融点ガラス材料の粉末を含有するペースト状の誘電体材料を、スクリーン印刷やダイコート法で塗布して乾燥させた後、またはシート状にした誘電体層を転写して貼付した後、焼成するという方法により形成される。また、隔壁１３はブレード法や金型によって形成される。
【００１９】
実施の形態１のＰＤＰでは、図３に示すように隔壁１３が前面板１７の第一誘電体層２１に配置された凹み２３に入り込むため、前面板１７の第一誘電体層２１と隔壁１３の対向部では、隔壁１３を挟んで隣接した放電セル間で放電面に平行な隙間が存在しない。このため、図３に示すように隔壁１３を挟んで隣接した放電セル間では電子または電荷の移動は抑制され、その放電セル間でのクロストーク（横方向のクロストーク）の発生を抑制することができる。ここで、隔壁１３の形状としてはストライプ状の他にも蛇行した形状等を有する隔壁の場合にも本発明を適用することで、同様な効果を得ることができる。
【００２０】
図４に、前面板１７と隔壁１３の上部との放電面に平行な隙間と、動作におけるクロストークの抑制に必要なデータ電圧の増加量を示す。ここで、前面板の保護層が平坦に形成されている場合に保護層と隔壁の頂部とが接している状態を隙間が０とし、隙間が生じている状態を隙間が正の値とする。また隙間が負の場合はその大きさだけ隔壁１３の頂部が凹み２３に入り込んだ状態を表す。図４から、前面板１７と隔壁１３の放電面に平行な隙間が広がるにつれて動作におけるクロストークの抑制に必要なデータ電圧の値が増加していることがわかる。第一誘電体層２１に凹み２３を設けない場合には、前面板１７と隔壁１３の放電面に平行な隙間は、隔壁頂部の研磨を実施した場合においても材料粒子やフィラー成分が表面に露出することによりラフネスなどの影響で１〜２μｍの隙間が生じてしまう。しかし、本実施の形態においては隔壁１３の頂部を凹み２３へ入り込ませることによって、研磨などの工程を追加することなくラフネスや隔壁１３の高さばらつき等が存在していても放電面に平行な隙間を無くすことができ、クロストークの抑制に必要なデータ電圧の増加量は少なくてよい。
【００２１】
また、放電電極１８ａと放電電極１９ａとの間で発生する放電は第一誘電体層２１の膜厚によって影響を受け、その膜厚が薄い箇所の放電開始電圧が低くなる。そのため、第一誘電体層２１の凹み２３で先に放電が発生し放電が不安定になることがある。ところが、本実施の形態では、隔壁１３と対向する領域に配置された凹み２３の領域に重ならないように放電電極１８ａ、１９ａを配置しているので、凹み２３を設けた領域において放電が発生するのが抑制され、安定した放電を発生させることができる。
【００２２】
そのために、隣接する放電セルへのクロストークや対向する電極との耐圧性能の悪化が抑制される。これにより、クロストークの発生が抑制された良好な画質のプラズマディスプレイパネルを提供することができる。
【００２３】
図５に実施の形態２によるＰＤＰの構造を示す。このＰＤＰ２４の前面板１７は実施の形態１のものと同じ構成である。ＰＤＰ２４の背面板２５は、背面基板１０上に、データ電極１１と、それを覆う第二誘電体層１２と、その上に形成された隔壁２６と、第二誘電体層１２の表面と隔壁２６の側面に設けられた蛍光体層１４Ｒ、１４Ｇ、１４Ｂとを備えた構成である。隔壁２６は、データ電極１１に平行な縦隔壁２６ａと、その縦隔壁２６ａ間に設けられ且つデータ電極１１に垂直な横隔壁２６ｂとから構成されており、縦隔壁２６ａは横隔壁２６ｂに比べて高くなっている。そして、縦隔壁２６ａの上部が第一誘電体層２１に形成された凹み２３にはまり込むように構成されている。
【００２４】
このＰＤＰの構成によれば、実施の形態１のＰＤＰの構成に加え、横隔壁２６ｂを設けている。この横隔壁２６ｂを設けることにより、横隔壁２６ｂを挟んで隣接する放電セル間のクロストーク（縦方向のクロストーク）の発生を抑制することができる。また、縦隔壁２６ａの高さと横隔壁２６ｂの高さとが異なることにより、横隔壁２６ｂと保護層８との間に隙間が形成される。例えば、縦隔壁２６ａの高さを横隔壁２６ｂの高さよりも２０μｍだけ高くすることで段差をつけ、凹み２３の深さを１０μｍとして凹み２３に縦隔壁２６ａの上部をはまり込ませることで、横隔壁２６ｂと保護層２２との間に容易に隙間を形成することができる。この隙間が存在することによって、ＰＤＰを製造する際のパネル内の排気、パネルへの放電ガスの封入を容易に行うことができる。
【００２５】
図６に実施の形態３によるＰＤＰの構造を示す。図６（ａ）は隔壁、第一誘電体層に設けた凹みおよび表示電極の位置関係を示した平面図である。同図（ｂ）、（ｃ）はそれぞれ同図（ａ）をＡ−Ａ線、Ｂ−Ｂ線で切った断面図であり、蛍光体層と第一誘電体層２１上の保護層を省略して示している。実施の形態１のＰＤＰと異なる構成は、第一誘電体層に設けた凹みの形状と隔壁の形状であり、他の構成は同じである。
【００２６】
実施の形態３によるＰＤＰの隔壁２７は格子状の隔壁であり、実施の形態２の隔壁２６のような高さの差を設けておらず、隔壁２７の高さはどの部分も同じである。そして、第一誘電体層２１には隔壁２７の形状に対応して格子状の凹み２８が形成されており、この凹み２８に隔壁２７の上部がはまり込むように構成されている。また、格子状の凹み２８のうち、表示電極２０に平行な部分には凹み２８の深さａ１よりも深い凹み２９（深さａ２、ａ２＞ａ１）を形成している。例えば、ａ１とａ２との差を１０μｍとする。実施の形態３によるＰＤＰでは、格子状の隔壁２７が凹み２８にはまり込んでいるため、隣接する放電セル間での荷電粒子（電子等）の移動が遮られ、隣接する放電セル間のクロストークの発生を抑制することができる。また、凹み２９を設けていることにより、ＰＤＰを製造する際のパネル内の排気、パネルへの放電ガスの封入を容易に行うことができる。
【００２７】
また図７に示すように、実施の形態１によるＰＤＰにおいて、第一誘電体層２１に形成した凹み２３の幅がバス電極１８ｂ、１９ｂの配置されている領域３０で狭くなるようにしてもよい。このように構成することにより、第一誘電体層２１の膜厚が薄くなったことによる耐圧性の低下を補い、耐圧不良の発生を抑制することができる。また、耐圧不良はバス電極１８ｂ、１９ｂ上で発生する確率が高いため、少なくともバス電極１８ｂ、１９ｂと凹み２３が交差する領域３０において凹み２３の幅を狭くすることが好ましい。この構成は、実施の形態２、３によるＰＤＰに対しても適用できる。
【００２８】
本発明の実施の形態において、第一誘電体層２１に設けた凹み２３、２８の端部分を傾斜状とし、隔壁１３、２６、２７の頂部をテーパー状としている。ＰＤＰの製造工程において前面板と背面板のアライメントが重要であるが、本発明の実施の形態では凹み２３、２８の傾斜状の部分や隔壁１３、２６、２７の頂部のテーパー状の部分がガイドのような働きをするため、隔壁１３、２６、２７がそれぞれ対応する凹み２３または凹み２８に容易に入り込むことができる。なお、凹み２３、２８の端部分の形状または隔壁１３、２６、２７の頂部の形状のどちらか一方が矩形状であってもよい。
【００２９】
また、本発明の実施の形態において、走査電極１８は放電電極１８ａとバス電極１８ｂとから構成され、維持電極１９は放電電極１９ａとバス電極１９ｂとから構成され、バス電極１８ｂ、１９ｂはストライプ状であり、放電電極１８ａ、１９ａは矩形状の透明電極である。このような放電電極１８ａ、１９ａの形状は一例であり、凹み２３、２８と重ならないように放電電極１８ａ、１９ａを配置すれば、放電電極１８ａ、１９ａの形状は適宜変えることができる。例えば、図８（ａ）に示すＩ字状の放電電極１８ａ、１９ａや、同図（ｂ）に示すフェンス状の放電電極１８ａ、１９ａでもよく、これらの形状に限るものではない。また放電電極１８ａ、１９ａは、透明電極だけでなく、適度な開口率が得られる形状ならば銀や銅などの金属導電体を用いて形成してもよい。
【産業上の利用可能性】
【００３０】
以上に述べたように本発明によれば、放電セル間におけるクロストークの発生が抑制され、安定した放電によって高品質の画像表示を行えるプラズマディスプレイパネルを実現することができる。
【図面の簡単な説明】
【００３１】
【図１】本発明の実施の形態１によるプラズマディスプレイパネルの一部構成を示す斜視図
【図２】同プラズマディスプレイパネルの表示電極と隔壁の配置を示す平面図
【図３】同プラズマディスプレイパネルにおけるクロストーク発生の抑制を説明するための図
【図４】前面板と隔壁上部の隙間とデータ電圧の関係図
【図５】本発明の実施の形態２によるプラズマディスプレイパネルの一部構成を示す斜視図
【図６】（ａ）〜（ｃ）は本発明の実施の形態３によるプラズマディスプレイパネルの一部構成を示す平面図および断面図
【図７】本発明の実施の形態１によるプラズマディスプレイパネルにおいて凹み形状の変形例を示す平面図
【図８】（ａ）、（ｂ）は放電電極の形状の変形例を示す平面図
【図９】従来のプラズマディスプレイの画像表示部の概略構成を示す斜視図
【符号の説明】
【００３２】
１、１６、２４  プラズマディスプレイパネル（ＰＤＰ）
２、１７  前面板
３  前面基板
９、２５  背面板
１０  背面基板
１３、２６、２７  隔壁
１８  走査電極
１９  維持電極
１８ａ、１９ａ  放電電極
１８ｂ、１９ｂ  バス電極
２０  表示電極
２１  第一誘電体層
２３、２８、２９  凹み
【図１】
2007073275.tif 000003
【図２】
2007073275.tif 000004
【図３】
2007073275.tif 000005
【図４】
2007073275.tif 000006
【図５】
2007073275.tif 000007
【図６】
2007073275.tif 000008
【図７】
2007073275.tif 000009
【図８】
2007073275.tif 000010
【図９】
2007073275.tif 000011